(57)【要約】      （修正有）【課題】従来のお墓と同様に墓参りの対象が明確であり、且つ、花や樹木に囲まれた自然葬に適した墓碑及びその墓碑を備えた樹木葬用の墓を提供する。【解決手段】墓地に立設される墓碑１は、埋葬者の情報を表示する一又は二以上の銘板と、墓碑の接地面から上方に向かって貫通する一又は二以上の貫通孔と、を備える。また、その墓碑を備えた樹木葬用の墓は、墓地に埋設される骨壺２と、骨壺の上方に配置される墓碑と、墓碑の周囲に設けられた樹木を植栽する植栽エリア５と、を備える。【選択図】図１
0003204165.tif 000002
【実用新案登録請求の範囲】
【請求項１】
墓地に立設される墓碑であって、
埋葬者の情報を表示する一又は二以上の銘板と、前記墓碑の接地面から上方に向かって貫通する一又は二以上の貫通孔と、を備えた墓碑。
【請求項２】
前記墓碑は幅又は／及び奥行寸法が高さ寸法より長い偏平状の石材で形成され、該墓碑の上面は手前側が低くなるように傾斜していると共に、該墓碑の上面には前記貫通孔と対になるように前記銘板を配置した請求項１に記載の墓碑。
【請求項３】
請求項１又は２に記載の墓碑を備えた樹木葬用の墓であって、
前記墓地に埋設される骨壺と、該骨壺の上方に配置される前記墓碑と、前記墓碑の周囲に設けられた樹木を植栽する植栽エリアと、を備えた樹木葬用の墓。
【請求項４】
前記骨壺が生分解性素材で形成された請求項３に記載の樹木葬用の墓。
【考案の詳細な説明】
【技術分野】
【０００１】
本考案は、花や樹木に囲まれた自然葬に適した墓碑及びその墓碑を備えた樹木葬用の墓に関する。
【背景技術】
【０００２】
従来、お墓は、墓地に墓石を立設し、幾つかの遺骨を埋葬できる納骨室を備えた家墓が主流となっている。このお墓は、承継者を必要とする墓である。一方、承継者がいなくてもよい墓として、お寺や霊園がお墓の管理と供養を行う永代供養墓がある。近年は、少子高齢化の進行により、永代供養墓のニーズが高まっている。
【０００３】
永代供養墓の一つとして、墓石を立設しないで樹木を墓標としてその周囲に遺骨を埋葬する樹木葬が知られている。樹木葬には、遺骨を埋葬するたびに新しい苗木を１本植えるタイプや、墓地の中央にシンボルとなる樹木を植え、その周辺の区画に遺骨を埋葬するタイプがある。遺骨を埋葬するたびに新しい苗木を１本植えるタイプとして、骨壺の内部が仕切り部によって苗収容部と骨収容部とに仕切られ、この苗収容部に新しい苗木を植えるようにした骨壺が知られている（特許文献１参照）。
【先行技術文献】
【特許文献】
【０００４】
【特許文献１】特開２０１０−１０４４５８号公報
【考案の概要】
【考案が解決しようとする課題】
【０００５】
樹木葬は、花や樹木に囲まれた自然に還ることから、自然派志向の人々を中心に注目されてきている。一方、樹木葬は、樹木を墓標としており、従来のお墓のように墓石がないことから、従来のお墓に慣れた人々にとっては墓参りの対象がないといった違和感があるなどの課題があった。
【０００６】
そこで、本考案は、従来のお墓と同様に墓参りの対象が明確であり、且つ、花や樹木に囲まれた自然葬に適した墓碑及びその墓碑を備えた樹木葬用の墓を提供するものである。
【課題を解決するための手段】
【０００７】
本考案は、上記課題を解決するために、墓地に立設される墓碑であって、埋葬者の情報を表示する一又は二以上の銘板と、前記墓碑の接地面から上方に向かって貫通する一又は二以上の貫通孔と、を備えた墓碑を提供するものである。
【０００８】
また、本考案の墓碑は、幅又は／及び奥行寸法が高さ寸法より長い偏平状の石材で形成され、該墓碑の上面は手前側が低くなるように傾斜していると共に、該墓碑の上面には前記貫通孔と対になるように前記銘板を配置してある。
【０００９】
また、本発明は、上記の墓碑を備えた樹木葬用の墓であって、前記墓地に埋設される骨壺と、該骨壺の上方に配置される前記墓碑と、前記墓碑の周囲に設けられた樹木を植栽する植栽エリアと、を備えた樹木葬用の墓を提供するものである。
【００１０】
また、本考案の樹木葬用の墓は、前記骨壺が生分解性素材で形成されている。
【考案の効果】
【００１１】
本考案の墓碑は、墓地に立設される墓碑であって、埋葬者の情報を表示する一又は二以上の銘板と、前記墓碑の接地面から上方に向かって貫通する一又は二以上の貫通孔と、を備えたことにより、墓碑に一又は二以上の埋葬者の情報を表示して墓地に立設することができ、貫通孔には植物を植えることができるから、樹木葬用の墓碑として埋葬者の情報を表示することができる効果がある。
【００１２】
また、本考案の墓碑は、幅又は／及び奥行寸法が高さ寸法より長い偏平状の石材で形成され、該墓碑の上面は手前側が低くなるように傾斜していると共に、該墓碑の上面には前記貫通孔と対になるように前記銘板を配置してあることにより、従来の墓石と同様に石材で形成されたリング状の簡易的な墓碑によって樹木葬用の墓碑として埋葬者の情報を表示することができる。一又は二以上の貫通孔と銘板が対に配置してあるから、それぞれの故人に合わせた植物を植えることができる効果がある。
【００１３】
また、本考案の樹木葬用の墓は、上記の墓碑を備え、前記墓地に埋設される骨壺と、該骨壺の上方に配置される前記墓碑と、前記墓碑の周囲に設けられた樹木を植栽する植栽エリアと、を備えたことにより、花や樹木に囲まれた墓地に埋葬されると共に、遺骨が埋葬された場所を墓碑で示すことができる効果がある。
【００１４】
また、本考案の樹木葬用の墓は、前記骨壺が生分解性素材で形成されていることにより、墓地に埋設された骨壺が土壌中の微生物によって分解され、骨壺に収容された遺骨と共に自然に還ることができる効果がある。
【図面の簡単な説明】
【００１５】
【図１】本考案の墓碑を備えた樹木葬用の墓の一実施例を示す断面図。
【図２】その樹木葬用の墓の一実施例を示す斜視図。
【図３】本考案の墓碑の一実施例を示す斜視図。
【図４】その墓碑の一実施例を示す側面図。
【図５】本考案の骨壺の一実施例を示す斜視図。
【図６】その骨壺の一実施例を示す側面図。
【図７】本考案の墓碑の他の実施例を示す斜視図。
【図８】その墓碑の他の実施例を示す側面図。
【考案を実施するための形態】
【００１６】
本考案の実施の形態を図示する実施例に基づいて説明する。
本考案に係る墓碑１は、墓地に立設され、埋葬者の情報を表示する一又は二以上の銘板１１と、墓碑１の接地面から上方に向かって貫通する一又は二以上の貫通孔１２と、を備えている。その墓碑１を備えた樹木葬用の墓は、墓地に埋設される骨壺２と、骨壺２の上方に配置される墓碑１と、墓碑１の周囲に設けられた樹木３を植栽する植栽エリア４と、を備えている。
【実施例１】
【００１７】
図１及び図２に示す実施例において、樹木葬用の墓は、盛土の周囲に石を配置して土留４を設け、該土留４で囲われた植栽エリア５の中央に、例えば桜の木などの樹木３が植栽されている。植栽エリア５には、樹木３の周囲に一又は二以上の骨壺２が埋設され、骨壺２の上方には墓碑１が配置されている。
【００１８】
図示の実施例では、樹木３として比較的大きな桜の木を植栽していることから、一区画の植栽エリア５に複数の墓碑１を立設することが好ましい。この場合、一区画の植栽エリア５に複数の遺骨が埋葬されるが、墓碑１によって遺骨が埋葬された場所を示すことができる。
【００１９】
また、一区画の植栽エリア５に、一つの墓碑１を立設してもよい。一区画の植栽エリア５に一つの墓碑１を立設する際には、樹木３として小さな木を植栽することが好ましい。この場合、植栽エリア５には、故人又は遺族が希望する樹木を植栽することができる。
【００２０】
図３及び図４に示す実施例において、墓碑１は、幅及び奥行寸法が高さ寸法より長い偏平状の石材で形成され、該墓碑１の上面は手前側が低くなるように傾斜していると共に、該墓碑１の上面には埋葬者の情報を表示する銘板１１を設けている。墓碑１は、平面形状が丸みを帯びた逆三角形状を成し、手前側に接地面から上方に向かって貫通する一の貫通孔１２を備え、該貫通孔１２の後方に銘板１１を配置している。
【００２１】
銘板１１は、例えば金属プレートで形成され、埋葬者の氏名や戒名等を表示している。墓碑１は、上面の手前側が低くなるように傾斜しているから、銘板１１に表示された埋葬者の情報が植栽エリア５の周囲から見やすくなっている。
【００２２】
墓碑１の貫通孔１２には、例えば故人が好きであった草花を植えることができる。なお、墓碑１の材質や形状は図示の実施例に限定されるものではない。また、銘板１１は、墓碑１と一体的に形成してもよい。
【００２３】
図５及び図６に示すように、骨壺２は、底部を有する円筒状の本体部２１と、該本体部２１の嵌合部２３と嵌合する蓋部２２と、から構成され、本体部２１に遺骨を収容する。実施例において、骨壺２は、トウモロコシのセルロース、ホタテの貝殻や粘土などの生分解性素材で形成している。墓地に埋設された骨壺２は、土壌中の微生物により分解され、１年半から数年で土に還るから、骨壺２に収容された遺骨も土に還される。
【実施例２】
【００２４】
図７及び図８に示す実施例において、墓碑１は、幅及び奥行寸法が高さ寸法より長い偏平状の石材で形成され、該墓碑１の上面は手前側が低くなるように傾斜していると共に、該墓碑１の上面には埋葬者の情報を表示する二つの銘板１１を設けている。墓碑１は、平面形状がハート形を成し、手前側の左右に接地面から上方に向かって貫通する二つの貫通孔１２を備え、それぞれの貫通孔１２の後方に銘板１１を配置している。
【００２５】
図７及び図８に示す実施例において、墓碑１を備えた樹木葬用の墓は、墓碑１の下に、例えば夫婦など二人の遺骨を骨壺２に収容して埋葬する。墓碑１は、銘板１１と貫通孔１２とを対に配置しているから、貫通孔１２にはそれぞれの故人に合った草花を植えることができる。
【００２６】
本考案に係る墓碑１は、跡継ぎがいない、後に遺す子どものことが心配など、現代の多くの方が抱える問題を解決するために生まれた樹木葬に用いると最適である。その墓碑１を備えた樹木葬用の墓は、従来のお墓の概念に縛られたくない方、植樹となり自然保護にも役立ちたいという方、子どもには頼らない・頼りたくないという方、眠る場所にこだわりたいという方に適している。
【００２７】
本考案に係る墓碑１を備えた樹木葬用の墓は、骨壺２も遺骨も自然のもとへ還る自然葬でありながら、骨壺２の上方に埋葬者の情報を表示した墓碑１を立設しているから、一般のお墓と同様に個別にお参りや法要を行う際にも、違和感なく行うことができる。
【符号の説明】
【００２８】
１  墓碑
２  骨壺
３  樹木
４  土留
５  植栽エリア
１１  銘板
１２  貫通孔
２１  本体部
２２  蓋部
２３  嵌合部
【図３】
0003204165.tif 000003
【図４】
0003204165.tif 000004
【図５】
0003204165.tif 000005
【図６】
0003204165.tif 000006
【図７】
0003204165.tif 000007
【図８】
0003204165.tif 000008
【図１】
0003204165.tif 000009
【図２】
0003204165.tif 000010